(57)【要約】インテグラルピックアップマウント付きアコースティックギターに関する。ギターは中空ボディと、内部に一体的に形成されたピックアップマウント部を持つ上部部材を有するように構成される。スロット（２０）がピックアップ支持領域に切削され、ピックアップ（２２）はスロット（２０）内に受け入れられる。ギター弦がギター上に搭載され、ギター弦の自由長のより下部終端を決めるためのブリッジとして機能するピックアップ（２２）を横切って伸張される。
2004526180.tif 000002
【特許請求の範囲】
【請求項１】
共鳴板と前記共鳴板から延在するインテグラルブリッジを含み、前記インテグラルブリッジが楽器の弦を前記共鳴板から離間するように動作可能に適合されている楽器上部を備えることを特徴とする弦楽器。
【請求項２】
前記ブリッジが内部に形成されたスロットを含み、前記スロット内に位置決めされた圧電ピックアップをさらに含むことを特徴とする請求項１記載の楽器。
【請求項３】
前記共鳴板と前記ブリッジが、前記共鳴板と前記ブリッジ間をシームレスに接続するように構成されることを特徴とする請求項１記載の楽器。
【請求項４】
空洞中央部を含むボディをさらに備え、前記楽器上部が前記ボディの一部であることを特徴とする請求項１記載の楽器。
【請求項５】
前記ボディの４０％から５０％が中空であることを特徴とする請求項４記載の楽器。
【請求項６】
前記楽器上部は前記ボディの前記中空中央部と通じるサウンドホールがないように閉じていることを特徴とする請求項４記載の楽器。
【請求項７】
前記ボディに係合し且つある長さを持つネックと、
前記ネックと係合するヘッドとをさらに備え、
前記楽器の弦が前記ヘッドストックと前記楽器上部に係合し、前記ネックの全長に渡って張られ、
前記ブリッジが前記楽器の弦と前記共鳴板の係合部に近接した前記共鳴板上に位置決めされることを特徴とする請求項４記載の楽器。
【請求項８】
サウンドホールが無く、空洞部が完全に囲まれたサウンドボックスを備えることを特徴とする弦ギター。
【請求項９】
前記サウンドボックスの４０％から５０％が中空であることを特徴とする請求項８記載の弦ギター。
【請求項１０】
前記サウンドボックスが共鳴板と前記共鳴板上に位置決めされたインテグラルブリッジを有し、前記ブリッジが前記ギターの弦を前記共鳴板から動作可能に離間するように構成されていることを特徴とする請求項８記載のギター。
【請求項１１】
前記ブリッジ内に形成されたスロットと、前記スロット内に収納された圧電ピックアップをさらに備えていることを特徴とする請求項１０記載のギター。
【請求項１２】
前記共鳴板と前記ブリッジがシームレス接続部を形成するように構成されることを特徴とする請求項１０記載のギター。
【請求項１３】
共鳴板とシームレス延長部を含む中空ボディと、
前記シームレス延長部内に形成されたスロットと、
前記スロット内に位置決めされた圧電ピックアップと、
を備えることを特徴とする電気ギター。
【請求項１４】
前記ボディが前記ボディの容積の４０％から５０％を占める中空空洞部を有することを特徴とする請求項１３記載の電気ギター。
【請求項１５】
前記共鳴板が上部表面を有し、前記延長部が前記共鳴板の上部表面になめらかに一体となる外部表面を有することを特徴とする請求項１３記載の電気ギター。
【請求項１６】
前記共鳴板の前記延長部の位置に近接した前記共鳴板と係合する複数の弦をさらに備え、
前記圧電ピックアップが前記共鳴板から前記弦を動作可能に離間するように弦と係合することを特徴とする請求項１３記載の電気ギター。
【請求項１７】
弦楽器のボディを構成する方法において、
ａ）ソリッドブロック材料を提供する工程と、
ｂ）共鳴板と前記共鳴板のインテグラル延長部を形成するために前記ソリッドブロック材料を成形する工程とからなり、前記延長部が前記共鳴板から離間するように延長し前記楽器の弦を前記共鳴板から離間するように適合されることを特徴とする方法。
【請求項１８】
前記工程（ａ）において、前記ソリッドブロックが前記ソリッドブロックを形成するために共に接着された第１および第２木片を有することを特徴とする請求項１７記載の方法。
【請求項１９】
前記工程（ｂ）が前記共鳴板と前記延長部間にシームレス外部移行表面を形成する工程を有することを特徴とする請求項１７記載の方法。
【請求項２０】
前記工程（ｂ）が前記延長部内にスリットを形成する工程を有することを特徴とする請求項１７記載の方法。
【請求項２１】
電気ギターのボディの上部を構成する方法において、
ａ）ソリッド木材ブロックを提供する工程と、
ｂ）共鳴板と前記共鳴板から延長するインテグラルブリッジを形成するために前記ソリッド木材ブロックを切削する工程と、
を備えることを特徴とする方法。
【請求項２２】
電気ギターのボディを構成する方法において、
ａ）第１および第２ソリッド木片を提供する工程と；
ｂ）共鳴板と前記共鳴板から延長するインテグラルブリッジを形成するために前記第１中実木片を切削する工程と、
ｃ）ギター背部を形成するために前記第２木片を切削する工程と、
ｄ）空洞部が４０％から５０％でありサウンドホール開口部が無いギターボディを形成するために前記共鳴板を前記ギター背部に取り付ける工程と、
を備えることを特徴とする方法。
【発明の詳細な説明】
【０００１】
【発明の属する技術分野】
本発明は全般的にギターの構成に関し、特に、限定するためでなく、伝統的なソリッドボディ型電気ギターと同様のサイズと形状を有するアコースティックギターの構成に関する。
【０００２】
【従来の技術】
アコースティックギターの伝統的な構成において、ギター弦により発生する動き即ち音を検出する帯電ピックアップをアコースティックギターに取り付け、ソリッドボディ型電気ギターに共通して実施される方法と同様な方法で電気的に増幅するための努力が継続して行われてきた。
【０００３】
アコースティックギターと称されるギターとソリッドボディ型電気ギターと称されるギター間には一般に明確な差異がある。アコースティックギターは一般に中空ボディを有し、発生音の重要な要素は音響エネルギーを発生するための共鳴室として作用する中空ボディの音響特性である。典型的なアコースティックギターの一例はギブソン（Ｇｉｂｓｏｎ）製のＪ−２００ギターである。
【０００４】
伝統的なアコースティックギターの１つの欠点はギターからの発生音の音量である。通常、この音量は大勢の聴衆を楽しませるためには充分でなく、この音響を増幅させる方法が必要となる。この増幅は従来より伝統的なアコースティックギター上に取り付けられた電子ピックアップの使用により実現されていた。これらの電気ピックアップは、アコースティックギター内のサウンドホールの上方に電子素子を取り付けるかまたはアコースティックギターのブリッジまたは共鳴板に取り付けることにより、電気ギターに取り付けられる。発明者、生熊氏に発行された米国特許第４，５０１，１８６号は、アコースティックギターのサウンドホールの上方に電磁ピックアップを取り付けることにより、アコースティックギター上に取り付けられたピックアップ装置を開示している。
【０００５】
実際には、電子ピックアップ付きのアコースティックギターの問題点はギターを弱体化させる追加素子にある。アコースティックギターの共鳴板に取り付けられた追加素子はギターの構造を弱体化させる傾向にある。この弱体化は、共鳴板に対する変更により生ずる、共鳴板に対する追加のストレスにより発生する。
【０００６】
電磁ピックアップをアコースティックギターに取り付ける別の問題はピクアップ付きアコースティックギターの実際の演奏中に生じる。電磁ピックアップは振動を受信し、解読し、増幅するように設計されているので、これが取り付けられたアコースティックギターはギター弦の振動とアコースティックギターの中空ボディからの共鳴により不統一信号を電磁ピックアップに送信する。これにより、楽器からの実際に演奏された音色の不統一な増幅および、電磁ピックアップを取り付けられたアコースティックギターの聴取者に不愉快な望ましくない「フィードバック効果」を生じる。
【０００７】
伝統的な中空ボディ型アコースティックギターはソリッドボディ型電気ギターと対照を成し、音は主に弦振動の作用によるものである。この振動は電磁ピックアップにより検出され、大勢の聴取者を楽しませるのに充分な音量の音を発生させるために増幅される。伝統的なソリッドボディ型電気ギターの例としてギブソン製のレス・ポール（Ｌｅｓ  Ｐａｕｌ）モデルギターが挙げられる。
【０００８】
伝統的なソリッドボディ型電気ギターは、上述のフィードバック効果を大幅に減少させるが、音響を共鳴させる中空空洞部が無いので中空ボディ型アコースティックギターと同じ音質が得られない。伝統的なソリッドボディ型電気ギターはソリッドボディ型電気ギターの弦の振動を解釈し増幅するために容易に適合される電磁ピックアップを含むが、ブリッジと電磁ピックアップをソリッドボディの形成後にソリッドボディ型電気ギターのボディに取り付けられることが必要とされる。そのようにしても、この構造はソリッドボディ型電気ギターの構造と完全性を弱め、アコースティックギターと同じ音色品質を発生させることができない。
【０００９】
さらに、従来、電気ギター用の電磁ピックアップは従来の電気ギターのボディの上面に取り付けられた板状素子から構成される。この板状素子はギターの見栄えを悪くする。
【００１０】
半中空ボディ型ギターとして知られ、従来のアコースティックギターより典型的に薄いボディ上に従来の電気ギターピックアップを利用しているが、限界中空コアを有する第３カテゴリのギターがある。半中空ボディ型楽器の一例はギブソン製ＥＳ−３３５型ギターである。
【００１１】
アコースティックギターで以前使用された一タイプのピックアップはエルアールバッグスカンパニー（ＬＲ  Ｂａｇｇｓ  Ｃｏ．）により製造されたモデルＬＢ６シリーズピックアップのような圧電ピックアップである。これらの圧電ピックアップはギター弦が支持されるブリッジとしての機能するように構成されている。ギター弦はピックアップ上で押下され、弦が振動するにつれて、ピックアップの変化する圧力がピックアップの一部である圧電素子に変化する電気信号を発生させる。この型のピックアップは典型的にはギターボディの上面に接着されるかねじ止めされた分離したブリッジ支持部材に搭載される。この分離したブリッジ支持部材は圧電変換器素子を受けるために内部にギザギザの付いたスロットを有する。
【００１２】
このように、ピックアップの構成および中空ボディのギターで使用するための搭載法に関して改良を求める継続した要望がある。
【００１３】
【課題を解決するための手段】
本発明は、共鳴板とこの共鳴板から延在するインテグラルブリッジを含む楽器上部から構成される弦付き楽器を提供する。ブリッジは楽器の弦を共鳴板から離間させるように設計される。この楽器は圧電ピックアップを含むように設計されたブリッジ内のスロットを有する。この楽器はまた中空ボディを有する。
【００１４】
本発明はまた、サウンドホールの無い中空で完全に囲まれたサウンドボックスから構成される弦付きギターを開示する。この弦付きギターは共鳴板とサウンドボックス一部としてのインテグラルブリッジを持っている。圧電ピックアップはインテグラルブリッジ内に収納される。
【００１５】
弦楽器のボディを構成する方法が開示されている。この方法はソリッドブロック材料を提供する工程と、共鳴板と共鳴板のインテグラル延長部を形成するソリッドブロック材料を成形する工程を具備している。延長部は楽器の弦を共鳴板から離間させるように適合されている。
【００１６】
この構成はユニークな外観と改良された機能を有するギターになる。圧電ピックアップを受け入れるためのスロットのインテグラル構成は分離したブリッジ支持部材をギターのボディに接着したり、固定させることを不要にする。
【００１７】
従って、本発明の一般的な目的はアコースティックギターの改良された構成を提供することにある。
【００１８】
さらに、本発明の目的は共鳴板およびこの共鳴板から延在するインテグラルブリッジを有する弦楽器を提供することにある。
【００１９】
本発明の他の目的は実質的に中空であるボディを有する電気ギターを提供することにある。
【００２０】
本発明のさらに他の目的は音響エネルギーを発散できるサウンドホールの無い中空ボディ型ギターを提供することにある。
【００２１】
さらに本発明の他の目的は、ソリッドブロック材料を共鳴板とこの共鳴板のインテグラル延長部に成形する工程を具備し、延長部が楽器の弦を共鳴板から離間するように設計されている、弦楽器のボディを構成する方法を提供することにある。
【００２２】
本発明の他の目的は圧電ピックアップをギターに搭載するための改良された構成を提供することにある。
【００２３】
さらに、本発明の他の目的はギターに新規な外観を提供することにある。
【００２４】
本発明の他のおよびさらなる特徴や利点は添付の図面と関連して以下の開示を読むことにより当業者に容易に明らかになるであろう。
【００２５】
【発明の実施の形態】
図１を参照すると、本発明の電気ギターのような弦楽器が、全般的に、符号１０により表示される。弦楽器１０は共鳴板１４とこの共鳴板１４から延在するインテグラルブリッジ１６を有する楽器上部１２から構成される。インテグラルブリッジ１６は楽器１０の弦１８が共鳴板１４から離間するように設計されている。
【００２６】
図５および図６に示されるように、インテグラルブリッジ１６はその内部に形成されたスロット２０を有する。さらに、楽器１０は、図８に示されるように、スロット２０内に位置決めされた圧電ピックアップ２２を含んでいる。
【００２７】
共鳴板１４とインテグラルブリッジ１６からなる楽器上部１２は共鳴板１４とインテグラルブリッジ１６間にシームレス接続部を形成するように構成される。楽器上部１２の構造的完全性を強化するのは、共鳴板１４とインテグラルブリッジ１６間のこのシームレス接続部である。
【００２８】
この楽器１０はさらにギター背部５６を持っている。ギター背部５６と楽器上部１２はサウンドボックス２４と称されるギターボディ２４を形成する。
【００２９】
図４はギター背部５６の中空中央部２６を示す。ボディ２４の周辺部６０が示されている。図７において、ギター背部５６の中空中央部２６の深さは符号６２として示される。
【００３０】
好ましい実施例において、ボディ２４は異なる２つの素子から作られる。第１素子、即ち、マホガニー材から作られるギター背部５６は中空にくりぬかれる。第２素子、即ち、カエデ材のキャップである楽器上部１２はマホガニー材上で接着される。周辺形状６０は切削される。ギターボディ２４の外部寸法はほぼ標準のギブソン製のレス・ポールモデルギターと類似である。同時に、周辺形状６０が切削され、バッテリポケット３０とアクセスポケット３２がこのギター背部５６に形成される。
【００３１】
第２素子、即ち、インテグラルブリッジ１６と共鳴板１４から構成される楽器上部１２は単一のカエデ材から開始される。インテグラルブリッジ１６は正確なサドルの高さを得るために特定の高さに切削される。共鳴板領域１４が所望の高さに切削される。シームレス外部移行表面５４が紙ヤスリで磨かれ、インテグラルブリッジ１６と共鳴板１４間をシームレス接続部にするためにそれらの間がしっくり調整される。これにより、従来の電磁ピックアップ搭載システムで生じる問題点を除去するインテグラルブリッジ１６が形成される。即ち、これにより、ギター１０の上部で典型的に接着されまたはねじ止めされる分離したピックアップ支持片を必要としなくなる。好ましい実施例において、楽器上部１２は切削されたカエデ材から形成され、ギター全体は３インチから３／４インチの厚みを有する。
【００３２】
楽器上部１２は楽器１０のボディ２４の一部であると説明できる。このボディ２４は、図４に示されるように、中空中央部２６を有する。好ましい実施例において、中空中央部２６は好ましくは楽器１０のボディ２４の体積の４０％から５０％であり、最も好ましくは、楽器１０のボディ２４の体積のおよそ４５％である。
【００３３】
図４に示されるように、ギター背部５６は楽器１０の電気的見地のための音色および音量制御装置を収容する制御開口部２８を持っている。このギター背部５６は楽器上部１２と反対側のギター背部５６の領域に配置されたバッテリポケット３０とアクセスポケット３２を有する。圧電ピックアップ２２からの電気信号用導体を増幅器（図示せず）に配線する出力ジャック３４が図４に示される。ギター背部５６は、使用者（図示せず）が楽器１０を抱え且つ制御するために、ギターストラップ（図示せず）を楽器１０に取付けるために使用される２つの接続ピン２４を有する。
【００３４】
本発明の好ましい実施例において、楽器上部１２は閉じられるので、ボディ２４の中空中央部２６と連通するサウンドホールは存在しない。図２に示されるように、楽器上部１２はボディ２４の中空中央部２６からの音を伝達しまたは増幅するために音響エネルギーが伝達する重要な領域である開口部を持たない。代案として、本発明のこの特徴はサウンドホールのない中空が完全に閉じられたサウンドボックス２４から構成される楽器として説明できる。
【００３５】
図１に示される楽器１０はボディ２４と係合するネック３６とこのネック３６と係合するヘッドストック３８を有する。楽器１０はさらにヘッドストック３８と楽器上部１２とに係合する弦１８を有する。これらの弦１８はネック３６の全長に渡って張られる。インテグラルブリッジ１６は楽器１０の弦１８と共鳴板１４の係合部に近接した共鳴板１４上に位置決めされる。図４に示されるように、ギター背部５６はネック３６と楽器１０のボディ２４の接続を可能にするネック接続開口部４０を持っている。
【００３６】
楽器１０の弦１８は６個の黒檀製のブリッジピン４２を使用して楽器上部１２の共鳴板１４と係合する。ブリッジピン４２の各々は６本の弦１８の１つを共鳴板１４に固定する。弦１８を共鳴板１４に固定する位置はインテグラルブリッジ１６のスロット２０に配置された圧電ピックアップ２２がネック３６とブリッジピン４２間に位置決めされるように実施される。
【００３７】
楽器１０の弦１８は特にヘッドストック３８上に位置決めされたチューニングヘッド４６と係合している。チューニングヘッド４６により、弦１８の張力の調整が可能にし、楽器１０の調子に影響を与える。図６に示されるように、アクセスチャネル４８はスロット２０をボディ２４の中空中央部２６と接続する。アクセスチャネル４８は圧電ピックアップ２２から楽器１０の出力ジャック３４と音色／音量制御部への伝導カードの物理的な接続を可能にする。
【００３８】
電気ギター１０の共鳴板１４は上部表面５０を有し、シームレス延長部１６は外部表面５２を含む。電気ギター１０は共鳴板１４の上部表面５０がシームレス延長部１６の外部表面５２に円滑に一体となるように構成される。
【００３９】
本発明者はまた弦楽器１０のボディ２４を構成する方法を開示している。この方法はソリッドブロック材料（図示せず）を提供する工程を含み、このソリッドブロックはソリッドブロックを形成するために共に接着された第１および第２木材片（図示せず）を含んでいる。この方法はさらに共鳴板１４およびインテグラルブリッジ１６を形成するためにソリッドブロック材料を成形する工程を含んでいる。この方法はさらにシームレス外部移行表面５４を成形する工程を含んでいる。このシームレス外部移行表面５４は図６に示されるように共鳴板１４とインテグラルブリッジ１６を接続している。この方法はまたインテグラルブリッジ１６内にスロット２０を形成する工程を含んでいる。
【００４０】
さらに、この楽器構成は図面に示されるようにギターにユニークな外観を提供している。
【００４１】
好ましい実施例において、圧電ピックアップ２２はエルアールバッグスカンパニーにより製造されたＬＢ６シリーズである。ＬＢ６シリーズ圧電ピックアップはあらゆる点でユニークである。まず、ピックアップ自身は内部に正しく配置された６個の個別センサを有するサドルである。センサが弦１８とギター１０ボディ間の接続部の一体部分であるので最大の感度と信号伝導性が得られる。第２に、センサ自身は振動および圧力に反応する。これにより弦１０の臨場感やアタックを持ったボディ振動の自然な暖かみを調和させることができる。これにより、音質と圧電ピックアップ２２の機能が増加する。
【００４２】
圧電ピックアップ２２は楽器１０のボディ２４の一部である楽器上部１２の一部であるインテグラルブリッジ１６内の位置によりさらに性能が高められる。ＬＢ６は楽器１０から発生する音色の音楽品質やリスニングの楽しみを高めるフィードバック禁止回路を持っている。圧電ピックアップ２２は音響エネルギーの電磁フォームへの変換を容易にする９ボルト電池（図示せず）により電力供給される。
【００４３】
このように、本発明は上記の目的と利点およびそれらに固有な目的と利点を容易に達成することが理解される。本発明のある好ましい実施例が開示目的のために図示され、記載されたが、部品と工程の配置と構成の数多くの変更が当業者により可能であり、添付の特許請求の範囲により定義されるような本発明の範囲と精神の範囲内で変更が可能である。
【図面の簡単な説明】
【図１】
図１は本発明に従って構成されたギターの上部斜視図である。
【図２】
図２は本発明に従って構成されたギターのボディの上面図である。
【図３】
図３は本発明に従って構成されたギターのボディの斜視図である。
【図４】
図４は、ギター背部から除去された楽器上部または共鳴板を有する、本発明に従って構成されたギターのボディのギター背部を示し、ギターのボディ内の中空空洞部を示す上面図である。
【図５】
図５は共鳴板とインテグラルブリッジを備える楽器上部の側面図である。
【図６】
図６は楽器上部に配置されたインテグラルブリッジの断面領域の詳細図である。
【図７】
図７はギターボディの側面図である。
【符号の説明】
１０      弦楽器
１２      楽器上部
１４      共鳴板
１６      インテグラルブリッジ
１８      弦
２０      スロット
２２      圧電ピックアップ
２４      ギターボディ
２６      中空中央部
３０      バッテリポケット
３２      アクセスポケット
３４      出力ジャック
３６      ネック
３８      ヘッドストック
４２      ブリッジピン
５４      シームレス外部移行表面
５６      ギター背部
６０      周辺部
【図１】
2004526180.tif 000003
【図２】
2004526180.tif 000004
【図３】
2004526180.tif 000005
【図４】
2004526180.tif 000006
【図５】
2004526180.tif 000007
【図６】
2004526180.tif 000008
【図７】
2004526180.tif 000009
【国際公開パンフレット】
2004526180.tif 000010
2004526180.tif 000011
2004526180.tif 000012
2004526180.tif 000013
2004526180.tif 000014
2004526180.tif 000015
2004526180.tif 000016
2004526180.tif 000017
2004526180.tif 000018
2004526180.tif 000019
2004526180.tif 000020
2004526180.tif 000021
2004526180.tif 000022
2004526180.tif 000023
2004526180.tif 000024
2004526180.tif 000025
2004526180.tif 000026
2004526180.tif 000027
2004526180.tif 000028
2004526180.tif 000029